(57)【要約】【課題】  本願発明の課題は、参加者に抽選に対する興味を強く与える当選文字列の決定を行うことのできる当選文字列の決定方法及びその決定システムを提供することにある。【解決手段】  本願発明に係る当選文字列決定方法、当選文字列決定システムおよび当選文字列決定プログラムは、他の複数の利用者端末から送信される当選文字希望データを受信するとともに、受信した複数の当選文字希望データ及び利用者に開示された所定の決定方式に基づいて前記当選文字列の少なくとも一つの列の当選文字を決定することを特徴とする。【選択図】図２
2006163646.tif 000002
【特許請求の範囲】
【請求項１】
複数の文字列からなる当選文字列を当選文字列決定システムが決定する当選文字列決定方法であって、
前記当選文字列決定システムは、他の複数の利用者端末からの当選文字希望データを受信するとともに、受信した複数の当選文字希望データ及び利用者に開示された所定の決定方式に基づいて前記当選文字列の少なくとも一つの列の当選文字を決定することを特徴とする当選文字列決定方法。
【請求項２】
請求項１記載の当選文字列決定方法であって、
前記当選文字列決定システムは、利用者端末から受信した当選文字希望データを記憶手段に記憶するとともに、該記憶手段に記憶された複数の当選文字希望データ及び前記所定の決定方式に基づいて前記当選文字を決定することを特徴とする当選文字列決定方法。
【請求項３】
請求項１又は２記載の当選文字列決定方法であって、
前記当選文字列決定システムは、前記当選文字希望データ及び所定の決定方式に基づいて当選文字を決定する当選文字列以外の文字列の当選文字を、ランダムに決定することを特徴とする当選文字列決定方法。
【請求項４】
請求項１乃至３の何れかに記載の当選文字列決定方法であって、
前記当選文字列決定システムは、利用者端末から利用者識別データを受信するとともに、この利用者識別データが正当であると判断した場合にのみ、該利用者端末から受信した当選文字希望データを当選文字の決定の際に用いることを特徴とする当選文字列決定方法。
【請求項５】
請求項４記載の当選文字列決定方法であって、
前記当選文字列決定システムは、利用者識別データとして利用者ＩＤとパスワードとを受信するとともに、この受信した利用者ＩＤとパスワードとが記憶手段のデータに整合する場合、該利用者端末からの当選文字希望データを当選文字の決定に用いることを特徴とする当選文字列決定方法。
【請求項６】
請求項４又は５記載の当選文字列決定方法であって、
前記当選文字列決定システムは、当選文字希望データを受信した際に、該受信した時間に関するデータとその利用者識別情報とを記憶し、その時間に関するデータから一定時間経過しない間に同一の利用者識別情報に基づく当選文字希望データを当選文字の決定に用いないような処理を行うことを特徴とする当選文字列決定方法。
【請求項７】
請求項１乃至６の何れかに記載の当選文字列決定方法であって、
前記当選文字列決定システムは、既に受信している当選文字希望データに関する情報を、その情報の閲覧を希望する利用者端末に送信することを特徴とする当選文字列決定方法。
【請求項８】
複数の文字列からなる当選文字列を決定すべく各種処理を行う処理手段を有する当選文字列決定システムであって、
該当選文字列決定システムは、他の複数の利用者端末から送信されるデータを受信する受信手段を備え、
前記処理手段は、受信手段が受け取った他の複数の利用者端末から送信される当選文字希望データ、及び、利用者に開示された所定の決定方式に基づいて、前記当選文字列の少なくとも一つの列の当選文字を決定するように設けられていることを特徴とする当選文字列決定システム。
【請求項９】
請求項８記載の当選文字列決定システムであって、
該当選文字列決定システムは、前記受信手段が受け取った当選文字希望データを記憶する記憶手段を備え、
前記処理手段は、該記憶手段に記憶された複数の当選文字希望データ及び前記所定の決定方式に基づいて前記当選文字を決定するように設けられていることを特徴とする当選文字列決定システム。
【請求項１０】
請求項８又は９記載の当選文字列決定システムであって、
前記処理手段は、前記当選文字希望データ及び所定の決定方式に基づいて決定した当選文字を決定した当選文字列以外の文字列の当選文字を、ランダムに決定するように設けられていることを特徴とする当選文字列決定システム。
【請求項１１】
請求項８乃至１０の何れかに記載の当選文字列決定システムであって、
前記受信手段は、利用者端末から利用者識別データを受信するように設けられており、
前記処理手段は、受信手段が受け取った利用者識別データが正当であると判断した場合にのみ、該利用者端末から受信した当選文字希望データを当選文字の決定の際に用いる処理を行うように設けられていることを特徴とする当選文字列決定システム。
【請求項１２】
請求項１１記載の当選文字列決定システムであって、
前記受信手段は、利用者識別データとして利用者ＩＤとパスワードとを受信するように設けられており、
前記処理手段は、受信手段が受け取った利用者ＩＤとパスワードとが記憶手段のデータと整合する場合、該利用者端末からの当選文字希望データを当選文字の決定に用いることを特徴とする当選文字列決定システム。
【請求項１３】
請求項１１又は１２記載の当選文字列決定システムであって、
前記記憶手段には、受信手段が当選文字希望データを受信した時間に関するデータとその利用者識別情報とが記憶されるように設けられており、
前記処理手段は、前記時間に関するデータから一定時間経過しない間に同一の利用者識別情報に基づく当選文字希望データを当選文字の決定に用いない処理を行うように設けられていることを特徴とする当選文字列決定システム。
【請求項１４】
請求項８乃至１３の何れかに記載の当選文字列決定システムであって、
該当選文字列決定システムは、既に受信している当選文字希望データに関する情報を、その情報の閲覧を希望する利用者端末に送信する処理を行うように設けられていることを特徴とする当選文字列決定システム。
【請求項１５】
複数の文字列からなる当選文字列を決定すべく、当選文字列決定システムの処理手段に対して、各種処理を行わせるように設けられた当選文字列決定プログラムであって、
前記処理手段が、当選文字列決定システムの受信手段が受信した他の複数の利用者端末から送信される当選文字希望データ、及び、利用者に開示された所定の決定方式に基づいて、前記当選文字列の少なくとも一つの列の当選文字を決定する処理を行うように設けられていることを特徴とする当選文字列決定プログラム。
【請求項１６】
請求項１５記載の当選文字列決定プログラムであって、
前記処理手段が、
前記当選文字列決定システムの受信手段が受け取った当選文字希望データを記憶手段に記憶せしめ、
該記憶手段に記憶された複数の当選文字希望データ及び前記所定の決定方式に基づいて前記当選文字を決定する処理を行うように設けられていることを特徴とする当選文字列決定プログラム。
【請求項１７】
請求項１５又は１６記載の当選文字列決定プログラムであって、
前記処理手段が、前記当選文字希望データ及び所定の決定方式に基づいて決定した当選文字を決定した当選文字列以外の文字列の当選文字を、ランダムに決定する処理を行うように設けられていることを特徴とする当選文字列決定プログラム。
【請求項１８】
請求項１５乃至１７の何れかに記載の当選文字列決定プログラムであって、
前記処理手段が、前記当選文字列決定システムの受信手段が受信した他の利用者端末から利用者識別データが正当であると判断した場合、該利用者端末から受信した当選文字希望データを当選文字の決定の際に用いる処理を行うように設けられていることを特徴とする当選文字列決定プログラム。
【請求項１９】
請求項１８記載の当選文字列決定プログラムであって、
前記処理手段は、前記当選文字列決定システムの受信手段が受信した利用者識別データとしての利用者ＩＤとパスワードとが該当選文字列決定システムの記憶手段のデータと整合する場合、該利用者端末からの当選文字希望データを当選文字の決定に用いることを特徴とする当選文字列決定プログラム。
【請求項２０】
請求項１８又は１９記載の当選文字列決定プログラムであって、
前記処理手段は、
前記当選文字列決定システムの受信手段が当選文字希望データを受信した時間に関するデータとその利用者識別情報とを該当選文字列決定システムの記憶手段に記憶せしめ、
該記憶手段の時間に関するデータから一定時間経過しない間に同一の利用者識別情報に基づく当選文字希望データを当選文字の決定に用いない処理を行うように設けられていることを特徴とする当選文字列決定プログラム。
【請求項２１】
請求項１５乃至１９の何れかに記載の当選文字列決定プログラムであって、
前記処理手段は、前記当選文字列決定システムの受信手段が他の利用者端末から経過情報希望データを受け取った際に、該当選文字列決定システムが既に受信している当選文字希望データに関する情報を、その情報の閲覧を希望する利用者端末に送信すべく処理を行うように設けられていることを特徴とする当選文字列決定プログラム。
【請求項２２】
請求項１５乃至２１の何れかに記載のプログラムが記録されたことを特徴とするプログラムの記録媒体。
【発明の詳細な説明】
【技術分野】
【０００１】
この発明は、当選番号などの当選文字列の決定に関するものであり、具体的には、例えば複数の数字列からなる当選番号を当選文字列決定システムが決定するものに関するものである。
【背景技術】
【０００２】
当選番号を決定するに際しては、いわゆる宝くじなどにあっては、各数字が付された回転盤に弓等を射て、弓が射られた番号をある列（桁）の数字として、これを各列ごとに行うことによって当選番号が決定されている。
【０００３】
また、このような抽選をコンピュータシステムにより自動的に行うこともなされており、具体的には、当選番号決定システムが当選番号の各列の数字をランダムに決定することにより当選番号を決定する方法や、当選番号決定システムが登録された複数の抽選番号の中からランダムに一つの抽選番号を抽出し、その抽出した抽選番号を当選番号として決定する方法などが行われている。
【０００４】
しかるに、上記のような当選番号決定システムによる抽選方法にあっては、参加者は、前記当選番号決定システムによって当選番号が決定されることを待つだけしかできず、つまりは、当選番号の決定に参加者は一切関与することができないものであった。このため、抽選結果によほどの興味を持たない者でない限り、上記抽選結果を知ろうとしない可能性もあり、また逆に抽選結果に強い興味を持つ者にあっては、上記システムによって当選番号が勝手に決定されるために当選の透明性に疑問を抱くおそれがあった。
【０００５】
なお、上記のように当選番号を決定して賞品授与を行うことは、企業のホームページなどの宣伝広告のため用いられている。つまり、商品などに抽選番号を付与しておき、抽選結果を企業のホームページに公開することにより、購買者が企業のホームページにアクセスする機会を作ることに利用されている。しかるに、既述のように抽選決定に際しての参加者の関与がないことによる欠点によって、購買者に抽選結果に対する興味が薄く、このため、結局宣伝広告効果が得られないという問題、および、抽選結果に興味を持つ購買者にとれば、既述の抽選方法の不透明性からくる企業への不信につながるおそれすら存在する。
【０００６】
なお、上記のような当選文字列の決定システムに関しては、特許文献１、特許文献２及び特許文献３所載のものが公知である。これら特許文献１乃至特許文献３所載のものにあっては、利用者の端末からの参加希望を受け取り、この参加を希望する全端末からシステムが一つの端末を決定し、この決定された一つの端末に対して当選番号の一つの桁の回答を行う権利を与えていき、各桁について上記のようにしていくことにより、当選番号を決定するものである。
【０００７】
また、権利が与えられた端末からの回答がない場合には、所定期間をもって、新たに全参加希望端末からランダムに一端末を抽出し、権利を付与する。
【０００８】
しかるに、上記決定システムにあっては、当選番号の決定に関与することのできる端末は、その当選番号の桁数の台数のみであり、つまり、当選番号が８桁の数字である場合には、８人の利用者のみが当選番号の決定に関与することができるだけである。
【０００９】
また、抽選の公平性や正当性を確認できるようにするためのシステムとしては、特許文献４所載のものが公知である。この特許文献４には、主催者側文字列、サーバー文字列、および、参加者文字列の三つの文字列を特定の演算関数に代入して、その演算結果を当選番号と決定するとともに、このように決定した当選番号を発表後に参加者が、新たな参加者文字列を主催者側文字列およびサーバー文字列とともに上記演算関数に代入することにより抽選結果の正当性を確認できると記載されている。なお、該文献には、参加者文字列および全参加者文字列に関する具体的な記載がないため、当選番号の決定に際してどのような参加者文字列を採用するのか（全参加者の誰の参加者文字列であるか）が不明瞭であるが、明細書全体の記載からすると、全参加者のうちランダムに決定された一人の参加者文字列であるかと考えられる。このため、当選番号の決定に関与することのできる参加者は、結局一人ということになる。
また、特許文献４には演算関数の具体的な説明がないが、新たな参加者文字列を入力して演算結果（当選番号）を特定することからすると、参加者文字列からの当選番号の予測可能性は低いと考えられる。つまり、参加者が特定の当選番号を想定して参加者文字列を判断することは不可能であると考えられる。
【００１０】
すなわち、上記各特許文献所載のものにあっては、一人または数人の者が当選番号の決定に関与することができるシステムであるものの、多数の参加者は当選番号の決定に関与することができないので、結局、抽選に関して参加者に対して興味を強く与えることができるものではなかった。
【特許文献１】特開２００２−６３３０７号公報
【特許文献２】特開２００２−１８９８３１号公報
【特許文献３】特開２００２−１８９９２７号公報
【特許文献４】特開２００４−２１９４３号公報
【発明の開示】
【発明が解決しようとする課題】
【００１１】
そこで、本願発明は上記事実に鑑みてなされたものであり、この発明の課題は、参加者に抽選に対する興味を強く与える当選文字列の決定を行うことのできる当選文字列の決定方法及びその決定システムを提供することにある。
【課題を解決するための手段】
【００１２】
本願発明は上記の課題を解決すべくなされたものであり、本願発明に係る当選文字列決定方法は、複数の文字列からなる当選文字列を当選文字列決定システムが決定する当選文字列決定方法であって、前記当選文字列決定システムは、他の複数の利用者端末からの当選文字希望データを受信するとともに、受信した複数の当選文字希望データ及び利用者に開示された所定の決定方式に基づいて前記当選文字列の少なくとも一つの列の当選文字を決定することを特徴とする。
【００１３】
また、本願発明に係る当選文字列決定システムは、複数の文字列からなる当選文字列を決定すべく各種処理を行う処理手段を有する当選文字列決定システムであって、該当選文字列決定システムは、他の複数の利用者端末から送信されるデータを受信する受信手段を備え、前記処理手段は、受信手段が受け取った他の複数の利用者端末から送信される当選文字希望データ、及び、利用者に開示された所定の決定方式に基づいて、前記当選文字列の少なくとも一つの列の当選文字を決定するように設けられていることを特徴とする。
【００１４】
また、本願発明に係る当選文字列決定プログラムは、複数の文字列からなる当選文字列を決定すべく、当選文字列決定システムの処理手段に対して、各種処理を行わせるように設けられた当選文字列決定プログラムであって、前記処理手段が、当選文字列決定システムの受信手段が受信した他の複数の利用者端末から送信される当選文字希望データ、及び、利用者に開示された所定の決定方式に基づいて、前記当選文字列の少なくとも一つの列の当選文字を決定する処理を行うように設けられていることを特徴とする。
【００１５】
上記構成からなる本願発明によれば、当選文字決定システムは、当選文字列を決定するに際して、複数の利用者端末から送信される当選文字希望データを用いて少なくとも一つの列の当選文字を決定することになる。このため、利用者は当選文字希望データを送信することによって少なくとも一つの当選文字の決定に関与することができ、これにより利用者の参加の意識が強くなるため、抽選に対する利用者の興味が高くなる利点を有する。
なお、「所定の決定方式」として、たとえば、利用者からの当選文字希望データの多数決により当選文字を決定する方式を採用することが可能であり、たとえば、複数の当選文字希望データのうち希望が最も多い数字とする決定方式を採用することにより、利用者が自らの抽選文字列の文字を当選文字希望データとして送信できるようにすることができ、また、複数の当選文字希望データのうち希望が最も少ない数字とする決定方式を採用することにより、利用者が自らの抽選文字列の文字以外の文字を当選文字希望データとして送信できるようにすることができ、その他種々の決定方式を採用することができる。
また、「複数の文字列からなる当選文字列」は、たとえば、複数の数字の列からなる数字列や、複数の数字と英文字とからなる複数の文字列など、種々のものを採用することができる。
【００１６】
また、本願発明に係る当選文字列決定方法は、前記当選文字列決定システムが、利用者端末から受信した当選文字希望データを記憶手段に記憶するとともに、該記憶手段に記憶された複数の当選文字希望データ及び前記所定の決定方式に基づいて前記当選文字を決定する構成を採用することが好ましい。また、本願発明に係る文字列決定システムは、前記受信手段が受け取った当選文字希望データを記憶する記憶手段を備え、前記処理手段が、該記憶手段に記憶された複数の当選文字希望データ及び前記所定の決定方式に基づいて前記当選文字を決定するように設けられている構成を採用することが好ましい。また、本願発明に係る当選文字列決定プログラムは、前記処理手段が、前記当選文字列決定システムの受信手段が受け取った当選文字希望データを記憶手段に記憶せしめ、該記憶手段に記憶された複数の当選文字希望データ及び前記所定の決定方式に基づいて前記当選文字を決定する処理を行うように設けられている構成を採用することが好ましい。
これにより、複数の利用者端末から随時送信される当選文字希望データを当選文字列決定システムの記憶手段に順次記憶させていき、そして、この記憶手段に記憶された利用者から送信された複数の当選文字列に基づいて当選文字列を決定することができる。
【００１７】
なお、本願発明においては、当選文字列の全ての列の文字を前記決定方法に基づいて決定して当選文字列を決定することも可能であるが、当選文字列の少なくとも一つの列の当選文字を前記当選文字希望データに基づかずに本システムが決定するように設けることが好ましい。
つまり、当選文字列決定システムが、当選文字希望データ及び所定の決定方式に基づいて決定した当選文字を決定した当選文字列以外の文字列の当選文字をランダムに決定するような構成を採用することが好ましい。このように一定の文字列の当選文字を本システムが決定するように設けることによって、参加者に対してより強く興味を与えることが可能である。
【００１８】
また、本願発明においては、利用者端末から送信される全ての当選文字希望データを当選文字の決定に用いることも可能であるが、利用者端末から利用者識別データを受信するとともに、この利用者識別データが正当であると判断した場合、該利用者端末から受信した当選文字希望データを当選文字列の決定の際に用いる構成を採用することが好ましい。
これにより、不正なアクセスによるデータに基づく当選文字の決定を行うことを防止することができる。また、上記のような利用者識別データを一定の情報を登録した利用者や会員としての登録を行った者にのみ付与するように設けることにより、利用者の情報を入手し、また会員増加に寄与することも可能となる利点を有する。
なお、「当選文字の決定に用いる」とは、具体的には、利用者識別データを記憶手段にも記憶させておき、この記憶手段の利用者識別データと送信された利用者識別データとを対比して両者の整合性を判断して、整合性が認められた利用者識別データに基づく当選文字希望データのみを当選文字の決定に利用する方法が挙げられる。
【００１９】
また、前記利用者識別データとしては種々のものを利用可能であるが、利用者識別データとして利用者ＩＤとパスワードとを採用することが好ましい。
この場合にあっては、当選文字列決定システム（の処理手段）が、受け取った利用者識別データとしての利用者ＩＤとパスワードと記憶手段に記憶されたデータと整合する場合に、該利用者端末からの当選文字希望データを当選文字の決定に用いる構成を採用することが好ましい。
【００２０】
また、一つの利用者識別データについて一度のみ当選文字希望データを送信できるような構成を採用することも可能であるが、一つの利用者識別情報データで複数回当選文字希望データを送信できるように構成することが好ましい。そして、この場合には、当選文字列決定システムが、当選文字希望データを受信した際に、該受信した時間に関するデータとその利用者識別情報とを記憶し、その時間に関するデータから一定時間経過しない間に同一の利用者識別情報に基づく当選文字希望データを当選文字の決定に用いないように設けることが好ましい。
これにより、利用者識別情報データを有する利用者は、一度当選文字希望データを送信しても、一定時間が経過した後に再度当選文字希望データを送信することができるため、一人の利用者が一定時間経過ごとに複数回アクセスすることが考えられ、利用者の関心を高めることができる。このため、宣伝広告効果を目的とする場合にあっては、宣伝広告効果をより顕著に発揮することが可能となる。
なお、「当選文字の決定に用いない」とは、たとえば、上記のように一定時間内のアクセスでは当選文字希望データを、利用者端末が送信できない、あるいは、該当選文字列決定システムが受信しないように構成したり、また、前記当選文字希望データを受信するものの、当選文字列決定システムの記憶手段に記憶させない、あるいは、記憶するものの当選文字の決定に際して利用しない等の方法が挙げられる。
【００２１】
また、本願発明にあっては、当選文字列決定システムが、既に受信している当選文字希望データに関する情報を、その情報の閲覧を希望する利用者端末に送信するような構成を採用することが好ましい。
これにより、利用者は既に送信されている他人の当選文字希望データに基づいて自らが送信する当選文字データを決めることができる。つまり、たとえば複数の当選文字希望データのうち希望が最も少ない数字とする決定方式で当選文字を決定する場合には、利用者は既に受信している当選文字希望データに関する情報を閲覧して、希望が最も少ない数字が利用者の希望しない番号である場合、その希望が最も少ない番号を当選文字希望データとして送信することができる。
また、上記のような情報を利用者が知ることができるように設けることによって、既述のように複数回当選文字希望データを送信できる構成を採用している場合、前記情報を閲覧して当選文字希望データを送信した後に、一定時間経過後に再度アクセスして、当選文字希望データを送信することを利用者が意識するため、利用者に関心を深く与えることが可能となる。
【発明を実施するための最良の形態】
【００２２】
以下、本願発明の実施の形態について、以下、図面を参酌しつつ説明する。なお、図１は、本願発明に係る当選文字列決定システムの一実施例の全体構成を説明するための概略的説明図である。図２は、同実施例における当選文字列の決定方法を説明するための説明図である。図３は、同実施例における当選文字の記憶に関する処理フローである。
【００２３】
まず、本実施形態の全体構成について説明すると、図１に示すように、本実施形態の当選番号決定システム１００（以下、「決定システム」と呼ぶことがある）は、種々のデータが記憶されたハードディスク記憶部等の記憶手段１１０、及び、該記憶手段１１０のデータについて各種の処理を行うＣＰＵ等からなる処理手段１２０を有している。
【００２４】
また、本決定システム１００は、インターネット等のネットワーク３００を介して利用者端末２００とデータを送受信可能な送受信手段（図示省略）を備えており、本実施例においては、該送受信手段は、利用者端末２００からの登録希望情報や利用者識別情報や当選文字希望データなどを受信でき、また、利用者端末２００に対して既に受信している当選文字希望データに関する情報などを送信できるように設けられている。なお、本実施例においては一つの送受信手段を採用したものについて説明するが、送信手段と受信手段とを各々有するものも本願発明の意図する範囲内である。また、前記決定システム１００は図示上一つのコンピュータから構成しているが、たとえば、複数台のコンピュータによって決定システムを構成することも可能である。また、利用者端末２００としては、利用者が用いるパーソナルコンピュータや携帯電話機端末とすることができる。
【００２５】
また、本決定システム１００は、データを表示可能なＣＲＴ等の表示手段１３０、マウスやキーボード等の入力手段（図示省略）、ＣＤ−ＲＯＭ３００等の記録媒体からデータを読み取り可能な読取手段（図示省略）、及び、記憶媒体にデータを書き込むための書き込み手段（図示省略）を備えている。なお、読取手段と書き込み手段とは、物理的に同一のもの（例えばＣＤ−ＲＷ装置等）から構成することが可能である。
【００２６】
本実施例においては、決定システム１００は処理手段１２０が当選数字列を決定するように設けられているものであるが、この当選数字列は、複数の桁（たとえば６桁）の数字からなる数字列としているが文字を含めることも可能である。また、この当選数字列のうち、一定の桁（たとえば下３桁）については複数の利用者からのデータ（当選番号希望データ）に基づいて決定され、他の桁（たとえば上３桁）については本決定システム１００がランダムに決定するように設けられている（図２参照）。
なお、複数の当選番号希望データに基づいて決定する方法、たとえば、複数の当選番号希望データのうち希望が最も多い数字を当選番号としたり、複数の当選番号希望データのうち希望が最も少ない数字を当選番号とする方法を採用することができる。また、この当選番号を決定する桁およびその決定方法は、たとえばホームページで公開されており、利用者端末２００を介して利用者に公開されており、また、当選数字列の決定を行う抽選日時（および当選番号希望データを送信可能な期限）についても、公開されている。
【００２７】
また、決定システム１００の記憶手段１１０には、利用者識別情報が記憶されており、本実施例では、利用者識別情報として利用者ＩＤとパスワードとが記憶されている。なお、本実施例においては、この利用者識別情報が付与される利用者は、その利用者の氏名、住所、電話番号、メールアドレスなどの利用者個人情報を送信し会員登録をした者のみに限定しており、以下、この利用者識別情報が付与された利用者を「会員」と呼ぶことがある。
【００２８】
また、該記憶手段１１０には、該利用者識別情報と関連づけて、前記利用者個人情報と、この利用者が当選番号希望データを既に送信している場合にはその送信日時に関する送信時データが記憶されている。
【００２９】
また、該記憶手段１１０には、前記処理手段１２０に対して後述する処理を行わせる当選番号決定プログラムが記憶されており、該プログラムに基いて処理手段１２０は、以下のような処理を行う。
【００３０】
つまり、決定システム１００の処理手段１２０は、前記送受信手段が利用者端末２００から会員登録希望情報を受け取ると、利用者端末２００に対して利用者個人情報を要求する処理を送受信手段に対して行うように設けられている。
【００３１】
また、該処理手段１２０は、利用者端末２００から利用者個人情報を送受信手段が受けた場合には、この受け取った利用者個人情報を記憶手段１１０に記憶させるとともに、この利用者に対する利用者ＩＤおよびパスワードを作成して、この作成した利用者ＩＤおよびパスワードを利用者端末２００に送信する処理を送受信手段に対して行うように設けられている。
なお、ここで該利用者ＩＤおよびパスワードの双方を決定システム１００が作成する方法のほか、利用者が利用者個人情報とともに送信したデータを利用者ＩＤおよびパスワードの双方または一方として採用することも可能である。また、既述のように利用者端末２００が利用者個人情報を要求する処理を行わずに、利用者端末２００が登録希望情報とともに利用者個人情報を送信し、この送信された利用者個人情報を記憶手段１１０に記憶させるような処理を行うことも可能である。
【００３２】
また、処理手段１２０は、前記送受信手段が利用者識別情報を受け取ると、記憶手段１１０の利用者識別情報と対比するように設けられている。そして、処理手段１２０は、送受信手段が受け取った利用者識別情報と記憶手段１１０に記憶された利用者識別情報とが整合しないと判断した場合には、エラー情報もしくは会員登録要求情報を利用者端末２００に送信する処理を送受信手段に対して行うように設けられている。
【００３３】
また、処理手段１２０は、送受信手段が受け取った利用者識別情報と記憶手段１１０に記憶された利用者識別情報とが整合すると判断した場合には、この利用者識別情報の送信時データを抽出するように設けられている。そして、該処理手段１２０は、この抽出した送信時データと現在時間との差が一定時間以上である場合、または、送信時データが存在しない場合には、利用者端末２００に対して当選番号希望データの送信を要求する処理を送受信手段に対して行うように設けられている。なお、前記送信時データと現在時間との差と比較する「一定時間」は、たとえば２４時間と設定することができる。
【００３４】
一方、処理手段１２０が、前記抽出した送信時データと現在時間との差が一定時間以内である場合には、一定時間内である旨のエラー情報を利用者端末２００に送信する処理を送受信手段に対して行うように設けられている。
【００３５】
また、処理手段１２０は、当選番号希望データを送受信手段が受け取ると、この当選番号希望データを記憶手段１１０に記憶させるとともに、この当選番号希望データを受け取った日時に関するデータを前記利用者識別情報と関連づけて記憶手段１１０に記憶させる処理を行うように設けられている。
【００３６】
また、処理手段１２０は、既に受信している当選数字希望データに関する情報（以下、「現集計データ」ということがある）を、その情報の閲覧を希望する利用者端末２００に送信する処理を送受信手段に対して行うように設けられている。つまり、処理手段１２０は、利用者端末２００から送受信手段を介して現集計データ要求信号を受け取ると、前記記憶手段１１０に記憶された現集計データを抽出して、この現集計データを利用者端末２００に送信する処理を送受信手段に対して行うように設けられている。なお、この現集計データの送信は、前記利用者識別情報の整合性が取れた利用者端末２００のみに行うよう設けることも可能である。
【００３７】
また、処理手段１２０は、抽選日時を経過すると、記憶手段１１０に記憶された当選番号希望データおよび所定の決定方式により、一定の桁の当選番号を決定するとともに、他の桁の当選番号をランダムに決定し、当選数字列を決定するように設けられている。
【００３８】
また、処理手段１２０は、抽選日時経過後に、その抽選結果の情報の閲覧を希望する利用者端末２００に送信する処理を送受信手段に対して行うように設けられている。
【００３９】
本実施例の決定システム１００は上記構成からなるが、次に本実施例のシステム１００を用いた抽選方法について以下説明する。
【００４０】
まず、本実施例の決定システム１００を用いた抽選を行うに際しては、複数の者に対して抽選番号を付与している。この付与の方法は、たとえば、ホームページにアクセスして会員登録した者に対して付与する方法、また、販売する商品や配布したパンフレットや広告媒体（たとえばポケットティッシュ）に付与しておく方法を採用することも可能である。
【００４１】
そして、本実施例の決定システム１００にあっては、利用者端末２００から会員登録希望情報を受け取ると、利用者端末２００に対して利用者個人情報を要求する。そして、利用者端末２００から利用者個人情報が送信されると、該決定システム１００は、この受け取った利用者個人情報を記憶手段１１０に記憶させるとともに、この利用者に対する利用者ＩＤおよびパスワードを作成して、この作成した利用者ＩＤおよびパスワードを利用者端末２００に送信する。
【００４２】
そして、利用者端末２００が利用者識別情報を送信（Ｓ１００）すると、前記決定システム１００は、受け取った利用者識別情報と、記憶手段１１０の利用者識別情報と対比し（Ｓ１１０）、両者が整合しない場合には、決定システム１００は、エラー情報もしくは会員登録要求情報を利用者端末２００に送信する。
【００４３】
また、前記のように受け取った利用者識別情報と記憶手段１１０の利用者識別情報とが整合し会員であると判断した場合には、決定システム１００は、該利用者識別情報の送信時データを抽出する（Ｓ１２０）。そして、決定システム１００は、抽出した送信時データと現在時間との差が一定時間以内か時間以外かを判断する（Ｓ１３０）。そして、一定時間内である場合には、一定時間内である旨のエラー情報を利用者端末２００に送信する。一方、抽出した送信時データと現在時間との差が一定時間以上である場合、または、送信時データが存在しない場合には、利用者端末２００に当選番号希望データの送信を要求する。
【００４４】
そして、利用者端末２００が当選番号希望データを送受（Ｓ１４０）すると、前記決定システム１００は、この当選番号希望データを記憶手段１１０に記憶させるとともに、この当選番号希望データを受け取った日時に関するデータを前記利用者識別情報と関連づけて記憶手段１１０に記憶させる（Ｓ１５０）。
【００４５】
また、利用者端末２００から現集計データ要求信号を受け取った場合には、決定システム１００は、現集計データを該利用者端末２００に送信する。
【００４６】
また、抽選日時を経過すると、前記決定システム１００は、記憶手段１１０に記憶された当選番号希望データおよび定められた決定方式によって一定の桁の当選番号を決定するとともに、他の桁の当選番号をランダムに決定し、当選数字列を決定する。そして、このようにして決定された当選文字列は、抽選結果の情報の閲覧を希望する利用者端末２００に送信される。
【００４７】
以上のような本実施例にあっては、利用者は当選番号希望データを送信することにより、当選数字列の決定に関与することができ、これにより利用者の参加の意識が強くなるため、抽選に対する利用者の興味が高くなる。
【００４８】
特に、当選番号希望データは、一定時間経過後であれば複数回送信することができ、その当選番号希望データに基づいて当選番号が決定され、しかも、利用者端末から現集計データを見ることができるので、利用者にはより強い関心を引くことができる。
【００４９】
また、このように当選番号希望データを送信することのできる利用者は会員登録する必要があるため、不正なアクセスを防止することができるとともに、抽選を主催する側としては会員増大等を図ることができる。また、当選番号希望データを一定時間経過後であれば複数回送信できるように設けたため、利用者がホームページ等に複数回アクセスすることが期待できるため、広告宣伝効果が高いという利点を有する。
【図面の簡単な説明】
【００５０】
【図１】本願発明に係る当選文字列決定システムの一実施例の全体構成を説明するための概略的説明図である。
【図２】同実施例における当選文字列の決定方法を説明するための説明図である。
【図３】同実施例における当選文字の記憶に関する処理フローである。
【符号の説明】
【００５１】
１００  決定システム
１１０  記憶手段
１２０  処理手段
１３０  表示手段
２００  利用者端末
３００  ネットワーク
【図１】
2006163646.tif 000003
【図２】
2006163646.tif 000004
【図３】
2006163646.tif 000005